【手続補正書】
【提出日】平成21年2月23日(2009.2.23)
【手続補正１】
【補正対象書類名】特許請求の範囲
【補正対象項目名】全文
【補正方法】変更
【補正の内容】
【特許請求の範囲】
【請求項１】
ＧＰＳ衛星からのＧＰＳデータを受信するＧＰＳ受信部と、前記ＧＰＳ受信部で受信されたＧＰＳデータに基づいて現在位置情報を算出する制御部と、前記現在位置情報を外部の通信機に送信する送信部と、前記ＧＰＳ受信部、前記制御部及び前記送信部に電力を供給する電源部と、を有し、
前記電源部は電源オン／オフ操作により電源オン／オフが施される通信装置であって、
電源オフ操作が施されると、前記電源部は、少なくとも前記ＧＰＳ受信部、前記制御部及び前記送信部に電力を供給し続けることを特徴とする通信装置。
【請求項２】
電源オフ操作後に、前記送信部が、現在位置情報を所定のタイミングで定期的に送信することを特徴とする請求項１に記載の通信装置。
【請求項３】
他の通信装置との通話を可能にする電話通信部と、前記通信装置の電話番号を記憶する記憶部と、を有し、
前記電源部は前記電話通信部に電力を供給し、
電源オフ操作が施されると、前記電源部は前記電話通信部に電力を供給し続け、前記電話通信部が前記記憶部に記憶された前記電話番号へ自動的に発呼することを特徴とする請求項１又は２に記載の通信装置。
【請求項４】
前記現在位置情報を音声信号に変換する音声変換部を有し、
前記音声変換部により変換された音声信号が前記送信部により送信されることを特徴とする請求項１又は２に記載の通信装置。
【請求項５】
前記記憶部には所定の情報と所定のメールアドレスとが記憶されており、更に電子メール送受信部を有し、
電源オフ操作が施されると、前記電源部が前記電話通信部に電力を供給し続けると共に、前記電子メール送受信部が、前記記憶部に記憶された所定の情報を前記メールアドレスに対応する通信装置に送信することを特徴とする請求項１〜２又は４に記載の通信装置。
【請求項６】
現在位置情報が送信する電子メールのタイトル又はメール本文、或いは電子メールの添付データとして送信されることを特徴とする請求項５に記載の通信装置。
【請求項７】
前記電源部は複数のバッテリー部で構成され、
複数の前記バッテリー部のうち少なくとも一方のバッテリー部から前記ＧＰＳ受信部、前記制御部、前記送信部或いは前記電話通信部に電力が供給されることを特徴とする請求項１乃至６のいずれか１項に記載の通信装置。
【請求項８】
所定の情報を表示する表示部を有し、
前記現在位置情報の送信中には、前記表示部に前記所定の情報が表示されないことを特徴とする請求項１乃至７のいずれか１項に記載の通信装置。
【手続補正２】
【補正対象書類名】明細書
【補正対象項目名】発明の名称
【補正方法】変更
【補正の内容】
【発明の名称】通信装置
【手続補正３】
【補正対象書類名】明細書
【補正対象項目名】０００１
【補正方法】変更
【補正の内容】
【０００１】
本発明は、ＧＰＳ（Ｇｌｏｂａｌ  Ｐｏｓｉｔｉｏｎｉｎｇ  Ｓｙｓｔｅｍ）機能や電子メール機能などを備えた通信装置に関する。
【手続補正４】
【補正対象書類名】明細書
【補正対象項目名】０００５
【補正方法】変更
【補正の内容】
【０００５】
請求項１に記載の発明は、ＧＰＳ衛星からのＧＰＳデータを受信するＧＰＳ受信部と、前記ＧＰＳ受信部で受信されたＧＰＳデータに基づいて現在位置情報を算出する制御部と、前記現在位置情報を外部の通信機に送信する送信部と、前記ＧＰＳ受信部、前記制御部及び前記送信部に電力を供給する電源部と、を有し、前記電源部は電源オン／オフ操作により電源オン／オフが施される通信装置であって、電源オフ操作が施されると、前記電源部は、少なくとも前記ＧＰＳ受信部、前記制御部及び前記送信部に電力を供給し続けることを特徴とする。
【手続補正５】
【補正対象書類名】明細書
【補正対象項目名】０００６
【補正方法】変更
【補正の内容】
【０００６】
請求項１に記載の発明によれば、オフ操作された電源部によりＧＰＳ受信部、制御部及びＧＰＳ送信部に電力が供給し続けられて、現在位置情報が制御部により他の通信装置に送信可能となる。これにより、例えば、ユーザが誘拐され、誘拐犯により通信装置の電源部がオフ操作された場合でも、通信装置の現在位置情報を外の通信装置に送信することができるため、通信装置（ユーザ）の現在位置を外部の人間に知らせることができる。
【手続補正６】
【補正対象書類名】明細書
【補正対象項目名】０００７
【補正方法】変更
【補正の内容】
【０００７】
請求項２に記載の発明は、請求項１に記載の通信装置において、前記現在位置情報が所定のタイミングで定期的に送信されることを特徴とする。
【手続補正７】
【補正対象書類名】明細書
【補正対象項目名】０００８
【補正方法】変更
【補正の内容】
【０００８】
請求項２に記載の発明によれば、現在位置情報が所定のタイミングで定期的に送信されることにより、通信装置（ユーザ）の現在位置情報を外部の人間に確実に知らせることができる。
【手続補正８】
【補正対象書類名】明細書
【補正対象項目名】０００９
【補正方法】変更
【補正の内容】
【０００９】
請求項３に記載の発明は、他の通信装置との通話を可能にする電話通信部と、前記通信装置の電話番号を記憶する記憶部と、を有し、前記電源部は前記電話通信部に電力を供給し、電源オフ操作が施されると、前記電源部は前記電話通信部に電力を供給し続け、前記電話通信部が前記記憶部に記憶された前記電話番号へ自動的に発呼することを特徴とする。
【手続補正９】
【補正対象書類名】明細書
【補正対象項目名】００１０
【補正方法】変更
【補正の内容】
【００１０】
請求項３に記載の発明によれば、オフ操作された電源部により電話通信部に電力が供給し続けられて、記憶部に記憶された電話番号の通信装置が制御部により発呼されるため、外部の通信装置の所有者にユーザが事件に巻き込まれたことを知らせることができる。
【手続補正１０】
【補正対象書類名】明細書
【補正対象項目名】００１１
【補正方法】変更
【補正の内容】
【００１１】
請求項４に記載の発明は、前記現在位置情報を音声信号に変換する音声変換部を有し、前記音声変換部により変換された音声信号が前記送信部により送信されることを特徴とする請求項１又は２に記載の通信装置である。
【手続補正１１】
【補正対象書類名】明細書
【補正対象項目名】００１２
【補正方法】変更
【補正の内容】
【００１２】
請求項４に記載の発明によれば、音声変換部により変換された音声信号が制御部により通信装置に送信されることにより、外部の人間は音声として聞くことができる。例えば、現在位置情報を音声変換部で緯度及び経度に関する音声信号に変換することにより、外部の人間は通信装置（ユーザ）の現在位置を緯度及び経度の観点から特定することができる。
【手続補正１２】
【補正対象書類名】明細書
【補正対象項目名】００１３
【補正方法】変更
【補正の内容】
【００１３】
請求項５に記載の発明は、前記記憶部には所定の情報と所定のメールアドレスとが記憶されており、更に電子メール送受信部を有し、電源オフ操作が施されると、前記電源部が前記電話通信部に電力を供給し続けると共に、前記電子メール送受信部が、前記記憶部に記憶された所定の情報を前記メールアドレスに対応する通信装置に送信することを特徴とする。
【手続補正１３】
【補正対象書類名】明細書
【補正対象項目名】００１５
【補正方法】変更
【補正の内容】
【００１５】
請求項６に記載の発明は、前記現在位置情報が前記電子メールのタイトル文又はメール本文、或いは前記電子メールの添付データとして送信されることを特徴とする。
【手続補正１４】
【補正対象書類名】明細書
【補正対象項目名】００１７
【補正方法】変更
【補正の内容】
【００１７】
請求項７に記載の発明は、前記電源部は複数のバッテリー部で構成され、複数の前記バッテリー部のうち少なくとも一方のバッテリー部から前記ＧＰＳ受信部、前記制御部、前記送信部或いは前記電話通信部に電力が供給されることを特徴とする。
【手続補正１５】
【補正対象書類名】明細書
【補正対象項目名】００１８
【補正方法】変更
【補正の内容】
【００１８】
請求項７に記載の発明によれば、複数のバッテリー部のうち少なくとも一方のバッテリー部からＧＰＳ受信部、制御部、ＧＰＳ送信部或いは電話通信部に電力が供給されるため、複数のバッテリー部のうち一部のバッテリー部が通信装置から外された場合でも、他のバッテリー部によりＧＰＳ受信部、制御部、ＧＰＳ送信部或いは電話通信部に電力を供給させることができる。特に、他のバッテリー部を確認困難な部位に設けておくことにより、例えば誘拐犯に他のバッテリー部の存在が気づかれてしまうことを防止できる。
【手続補正１６】
【補正対象書類名】明細書
【補正対象項目名】００１９
【補正方法】変更
【補正の内容】
【００１９】
請求項８に記載の発明は、所定の情報を表示する表示部を有し、前記現在位置情報の送信中には、前記表示部に所定の情報が表示されないことを特徴とする。
【手続補正１７】
【補正対象書類名】明細書
【補正対象項目名】００２０
【補正方法】変更
【補正の内容】
【００２０】
請求項８に記載の発明によれば、現在位置情報の送信中には表示部に所定の情報が表示されないため、通信装置の現在位置情報が送信されていることを例えば誘拐犯等に知られてしまうことがない。